(57)【特許請求の範囲】
【請求項１】
内部にファンモーターを有した換気扇本体の前部に形成されるほぼ椀状のフレームと、このフレームの上方側外周部に設けられるルーバー係合部に係合される爪を設け、前記フレームに装着されるルーバーとを備え、前記フレームの下方側における前面と外周面の境界部分にテーパ部を形成し、前記ルーバーの下方側内周に前記フレームのテーパ部と同じテーパを有するテーパリブを設けたパイプ用換気扇のルーバー取付装置であって、前記ルーバー係合部を、前記フレームの上方側外周部の軸方向に設けられる凹溝において、前記ルーバーの後方側開放部から遠ざかった反開放部の位置となる前方側寄りに設け、前記ルーバー係合部に係合される爪を前記ルーバーの上方側内周面の反開放部の位置となる前方側寄りに設けたパイプ用換気扇のルーバー取付装置。
【請求項２】
ルーバー係合部の両側にルーバー係合部に弾性力が作用するようにスリットを設けた請求項１記載のパイプ用換気扇のルーバー取付装置。
【請求項３】
ルーバーに設けられる爪および保持リブの周囲を薄肉部で形成した請求項１または２記載のパイプ用換気扇のルーバー取付装置。
【発明の詳細な説明】
【０００１】
【発明の属する技術分野】
本発明は、壁部等に埋設されたパイプに取り付けられるパイプ用換気扇のルーバー取付装置に関する。
【０００２】
【従来の技術】
近年、環境の良化を図るため、常時換気を行うパイプ用換気扇の普及に伴い、パイプ用換気扇の取付時に装着される化粧用のルーバーの取り付けが容易で正確な位置にがたつくことなく取り付けられるようにすることの要求が高まってきている。
【０００３】
従来、この種のパイプ用換気扇のルーバー取付装置として図７に示されるものが知られていた。以下、その構成について図７を参照しながら説明する。
【０００４】
図に示すように、内部にファンモーター１０１を複数の支持脚１０２で支持し、前部にほぼ椀状のフレーム１０３を設けて換気扇本体１０４を形成し、フレーム１０３の外周に軸方向の凹溝１０５を設け、凹溝１０５の後方側寄りにルーバー係合部１０６を設け、ほぼ椀状のルーバー１０７の内周面にルーバー係合部１０６に係合する爪１０８を設け、爪１０８の反対側の下方部のルーバー１０７の内周部には、フレーム１０３の後方端部に係合しルーバー１０７が保持される保持リブ１０９を設け、ルーバー１０７の取付時には、ルーバー１０７に設けた爪１０８をフレーム１０３に設けたルーバー係合部１０６に係合し、ルーバー１０７に設けた保持リブ１０９をフレーム１０３に係合して取り付けていた。
【０００５】
【発明が解決しようとする課題】
このような従来のパイプ用換気扇のルーバー取付装置では、換気扇本体１０４を壁部に埋設したパイプ（図示せず）に装着するときには、換気扇本体１０４が円筒形で上下の方向がわかりにくい形状であるため、上下が反転した状態で換気扇本体１０４が取り付けられることがあり、それに伴いルーバー１０７も上下反転された状態で取り付けられたり、あるいは、ルーバー１０７には爪１０８と保持リブ１０９を設けているだけであるため、ルーバー１０７を強くフレーム１０３に押圧すると誤って、換気扇本体１０４に対し上下反対に取り付けてしまうという課題があった。
【０００６】
また、フレーム１０３に設けられるルーバー係合部１０６とルーバー１０７に設けられる爪１０８の位置がいずれもフレーム１０３およびルーバー１０７の椀状の開放部側寄りに形成されているため、成形時における成形のそりの影響がでやすく、フレーム１０３に設けられるルーバー係合部１０６とルーバー１０７に設けられる爪１０８との係合が確実でなくなり、ルーバー１０７ががたつくという課題があった。
【０００７】
また、ルーバー１０７に設けた保持リブ１０９が、フレーム１０３の距離の長い椀状面に沿い係合しながら移動しなければならないため、ルーバー１０７の着脱に大きな力を必要とするという課題があった。
【０００８】
本発明は上記課題を解決するもので、ルーバーを正常な位置に、着脱が容易で、がたつきを防止した状態に取り付けることができるパイプ用換気扇のルーバー取付装置を提供することを目的とする。
【０００９】
【課題を解決するための手段】
本発明のパイプ用換気扇のルーバー取付装置においては、内部にファンモーターを有した換気扇本体の前部に形成されるほぼ椀状のフレームと、このフレームの上方側外周部に設けられるルーバ−係合部に係合される爪を設け、前記フレームに装着されるルーバーとを備え、前記フレームの下方側における前面と外周面の境界部分にテーパ部を形成し、前記ルーバーの下方側内周に前記フレームのテーパ部と同じテーパを有するテーパリブを設けたパイプ用換気扇のルーバー取付装置であって、前記ルーバー係合部を、前記フレームの上方側外周部の軸方向に設けられる凹溝において、前記ルーバーの後方側開放部から遠ざかった反開放部の位置となる前方側寄りに設け、前記ルーバー係合部に係合される爪を前記ルーバーの上方側内周面の反開放部の位置となる前方側寄りに設けた構成としたものである。
【００１０】
この本発明によれば、ルーバーを正常な位置に、着脱が容易で、がたつきを防止した状態に取り付けることができるパイプ用換気扇のルーバー取付装置を提供することができる。
【００１１】
【発明の実施の形態】
本発明の請求項１に記載の発明は、内部にファンモーターを有した換気扇本体の前部に形成されるほぼ椀状のフレームと、このフレームの上方側外周部に設けられるルーバー係合部に係合される爪を設け、前記フレームに装着されるルーバーとを備え、前記フレームの下方側における前面と外周面の境界部分に設けられるテーパ部を形成し、前記ルーバーの下方側内周に前記フレームのテーパ部と同じテーパを有するテーパリブを設けたパイプ用換気扇のルーバー取付装置であって、前記ルーバー係合部を、前記フレームの上方側外周部の軸方向に設けられる凹溝において、前記ルーバーの後方側開放部から遠ざかった反開放部の位置となる前方側寄りに設け、前記ルーバー係合部に係合される爪を前記ルーバーの上方側内周面の反開放部の位置となる前方側寄りに設けた構成としたものであり、フレームの下方側に形成されるテーパ部により換気扇本体の上下方向の確認が容易にでき正常な方向に換気扇本体を取り付けることができるとともに、ルーバーに設けたテーパリブによりルーバーを換気扇本体に対し上下反対に取り付けることが不可能となり、ルーバーを正常な方向に取り付けることができ、また、ルーバ−に設けた保持リブは、フレームに設けたテーパ部には当接せず、幅の狭いフレームの外周面に沿い移動し着脱されることとなり、着脱に大きな労力を要することなく容易となる。
【００１２】
以下、本発明の実施の形態について図１〜図６を参照しながら説明する。
【００１３】
（実施の形態１）
図１および図２に示すように、内部にファンモーター１を複数の支持脚２で支持し、前部に壁部等に取付ける椀状のフレーム３を形成した換気扇本体４のフレーム３の上方側外周部の軸方向に凹溝５を設け、凹溝５内にルーバー係合部６を設け、フレーム３のほぼ下半分における前面と外周面の境界部分にテーパ部７を設け、フレーム３に嵌合係止される椀状のルーバー８の上方側内周部にはフレーム３に設けたルーバー係合部６に係合される爪９を設け、下方側内周部の前方側にはフレーム３に設けたテーパ部７と同じテーパを有するテーパリブ１０を間隔をあけて２個設け、下方側の内周部の後方側には、テーパリブ１０の中間位置に対応する位置にフレーム３の後方側となる外周面に係合しルーバー８を保持する保持リブ１１を設け、ルーバー８の下方部には取手１２を設けている。
【００１４】
上記構成において、換気扇本体４は、壁部１３に設けたパイプ（図示せず）に装着するときに、一見してフレーム３に設けたテーパ部７が確認され、テーパ部７を下方側にして換気扇本体４は取り付けられる。
【００１５】
そして、ルーバー８を換気扇本体４のフレーム３に取り付けるときには、フレーム３に設けたルーバー係合部６にルーバー８に設けた爪９を係合し、ルーバー８の下方部に設けた取手１２をフレーム３側に押圧することにより、フレーム３の外周面が保持リブ１１に係合して、ルーバー８がフレーム３に取り付けられる。
【００１６】
また、ルーバー８をフレーム３より取り外すときには、取手１２を前方に向け引くことにより、ルーバー８に設けた保持リブ１１がフレーム３より外れ、ルーバー８の上方部に設けた爪９をルーバー係合部６より離脱することにより、ルーバー８を取り外すことができる。
【００１７】
このように本発明の実施の形態１のパイプ用換気扇のルーバー取付装置によれば、換気扇本体４の前部に形成されるフレーム３のほぼ下半分における前面と外周面の境界部分にテーパ部７を形成し、フレーム３に嵌合係止されるルーバー８にフレーム３のテーパ部７と同じテーパを有するテーパリブ１０を設けた構成としたので、換気扇本体４はフレーム３に設けたテーパ部７により一見して上下方向を確認することができ、換気扇本体４を正常な方向に取付けることができるとともに、ルーバー８に設けたテーパリブ１０により、ルーバー８を上下逆方向に取り付けようとしても、テーパリブ１０がフレーム３の椀状の前面に当り取付けられないので、ルーバー８を上下反動して取り付けることができなくなり、ルーバー８の取付方向が規制され、ルーバー８は正常な方向に取付けられることとなる。
【００１８】
また、フレーム３に係合するルーバー８の保持リブ１１は、フレーム３に設けたテーパ部７には当接せず、幅の狭いフレーム３の外周面に沿い移動して係合するので、その分抵抗が少なくなってルーバー８の着脱が容易となる。
【００１９】
（実施の形態２）
図３に示すように、フレーム３Ａに設けられるルーバー係合部６Ａをフレーム３Ａの上方側外周部の軸方向に設けられる凹溝５の前方側寄りに設け、ルーバー係合部６Ａに係合される爪９Ａをルーバー８Ａの上方側内周面の前方側寄りに設ける。
【００２０】
上記構成により、フレーム３Ａおよびルーバー８Ａの成形において、そり等のひずみの影響の大きいフレーム３Ａおよびルーバー８Ａの後方側の開放部から遠ざかった反開放部側の位置となる前方側寄りに、フレーム３Ａに設けられるルーバー係合部６Ａおよびルーバー８Ａに設けられる爪９Ａが設けられることにより、そり等のひずみの影響が少なく、寸法精度が高まり、ルーバー係合部６Ａに対する爪９Ａの係合にばらつきが少なくなる。
【００２１】
このように本発明の実施の形態２のパイプ用換気扇のルーバー取付装置によれば、フレーム３Ａに設けられるルーバー係合部６Ａおよびルーバー８Ａに設けられる爪９Ａを、成形時にそり等のひずみの影響の少ない反開放部側となる前方側寄りに設けたので、ルーバー係合部６Ａに対する爪９Ａの係合精度が高まり、ルーバー８Ａをがたつくことなくフレーム３Ａに取付けることができる。
【００２２】
（実施の形態３）
図４および図５に示すように、フレーム３Ｂに設けられるルーバー係合部６Ｂの両側にルーバー係合部６Ｂに弾性力が作用するようにスリット１４を設け、ルーバー係合部６Ｂを凹溝底部１５で支持するように構成する。
【００２３】
上記構成において、ルーバー８をフレーム３Ｂに嵌合係止するため、ルーバー８に設けた爪９をフレーム３Ｂに設けたルーバー係合部６Ｂに係合するときには、ルーバー係合部６Ｂに作用する小さな弾性力に抗して、爪９をルーバー係合部６Ｂに係合し、ルーバー８に設けた保持リブ１１をフレーム３Ｂに係合して取り付ける。このとき、ルーバー係合部６Ｂには弾性力が作用するため、爪９の係合および保持リブ１１の係合時に大きな力を必要とすることなく係合することができる。
【００２４】
このように本発明の実施の形態３のパイプ用換気扇のルーバー取付装置によれば、ルーバー係合部の両側に、ルーバー係合部６Ｂに弾性力が作用するようにスリット１４を設けたので、ルーバー８の着脱が容易となるとともに、ルーバー８をがたつくことなく取り付けることができる。
【００２５】
（実施の形態４）
図６に示すように、ルーバー８Ｂに設けられる爪９Ｂおよび保持リブ１１Ａの周囲を薄肉部１６で形成し構成する。
【００２６】
上記構成において、ルーバー８Ｂをフレーム（図示せず）に取付けるときには、フレームに設けたルーバー係合部に、ルーバー８Ｂの爪９Ｂが薄肉部１６のたわみによるルーバー８Ｂの変形をともなって係合し、フレームのテーパ部を設けた下方部には、保持リブ１１Ａが薄肉部１６のたわみによるルーバー８Ｂの変形をともなって係合することとなり、ルーバー８Ｂを取り外すときには、爪９Ｂおよび保持リブ１１Ａが薄肉部１６のたわみによるルーバー８Ｂの変形をともなって取り外され、取り外しに大きな力を必要としなくなる。
【００２７】
このように本発明の実施の形態４のパイプ用換気扇のルーバー取付装置によれば、爪９Ｂおよび保持リブ１１Ａの周囲を薄肉部１６で形成したので、薄肉部１６がたわむことによりルーバー８Ｂが変形して、ルーバー８Ｂを簡単に取り外すことができる。
【００２８】
【発明の効果】
以上の実施の形態から明らかなように、本発明によれば内部にファンモーターを有した換気扇本体の前部に形成されるほぼ椀状のフレームと、このフレームの上方側外周部に設けられるルーバー係合部に係合される爪を設け、前記フレームに装着されるルーバーとを備え、前記フレームの下方側における前面と外周面の境界部分にテーパ部を形成し、前記ルーバーの下方側の内周に前記フレームのテーパ部と同じテーパを有するテーパリブを設けたパイプ用換気扇のルーバー取付装置であって、前記ルーバー係合部を、前記フレームの上方側外周部の軸方向に設けられる凹溝において、前記ルーバーの後方側開放部から遠ざかった反開放部の位置となる前方側寄りに設け、前記ルーバー係合部に係合される爪を前記ルーバーの上方側内周面の反開放部の位置となる前方側寄りに設けた構成としたので、ルーバーの上下取付け間違いを防止し、ルーバーの着脱を容易にすることができ、かつ、成形品のそりの影響が極めて小さい前方側に係合部分が設けられ、ルーバーのがたつきが防止できるパイプ用換気扇のルーバー取付装置を提供できる。
【００３０】
また、ルーバー係合部の両側に、ルーバー係合部に弾性力が作用するようにスリットを設けたので、ルーバーが嵌合しやすく、かつルーバー係合部がルーバーにフィットしてルーバーが外れにくくなる。
【００３１】
また、ルーバーに設けられる爪および保持リブの周囲を薄肉部で形成したので、ルーバーが変形しやすくなり、ルーバーの取り外しが容易となる。
【図面の簡単な説明】
【図１】本発明の実施の形態１のパイプ用換気扇のルーバー取付装置の構成を示す斜視図
【図２】同パイプ用換気扇のルーバー取付装置の構成を示す概略断面図
【図３】本発明の実施の形態２のパイプ用換気扇のルーバー取付装置の構成を示す斜視図
【図４】本発明の実施の形態３のパイプ用換気扇のルーバー取付装置の構成を示す斜視図
【図５】同パイプ用換気扇のルーバー取付装置のルーバー係合部の構成を示す上面図
【図６】本発明の実施の形態４のパイプ用換気扇のルーバー取付装置のルーバーの構成を示す背面図
【図７】従来のパイプ用換気扇のルーバー取付装置の構成を示す斜視図
【符号の説明】
１      ファンモーター
３      フレーム
３Ａ    フレーム
４      換気扇本体
５      凹溝
６      ルーバー係合部
６Ａ    ルーバー係合部
６Ｂ    ルーバー係合部
７      テーパ部
８      ルーバー
８Ａ    ルーバー
８Ｂ    ルーバー
９      爪
９Ａ    爪
９Ｂ    爪
１０    テーパリブ
１１    保持リブ
１１Ａ  保持リブ
１４    スリット
１６    薄肉部
【図１】
0003725364.tif 000002
【図２】
0003725364.tif 000003
【図３】
0003725364.tif 000004
【図４】
0003725364.tif 000005
【図５】
0003725364.tif 000006
【図６】
0003725364.tif 000007
【図７】
0003725364.tif 000008